(57)【要約】【目的】  クリーンルーム用衣服の管理に適すると共に、適切な管理項目を設定することにより、クリーンルームの清浄度クラスに併せて、着用するクリーンルーム用衣服のチェックを自動的に行うこと。【構成】  データキャリア(10)にクリーンルーム用衣服(40)の使用履歴を記憶する使用履歴記憶領域(140)が形成されている。この使用履歴には、少なくとも着用履歴を、好ましくは洗濯履歴又は修理履歴を含んだ構成とする。使用履歴記憶領域(140)に記憶された使用履歴を読み込むことにより、クリーンルーム(30)の清浄度クラスに適合するか否かの判定を自動的かつ迅速に行うことができる。これにより、当該クリーンルーム用衣服(40)を着用した実際の着用時間を知ることができ、クリーンルーム用衣服(40)の汚染度の推定に適する。【選択図】    図１
2006153328.tif 000002
【特許請求の範囲】
【請求項１】
クリーンルーム用衣服に付設され、
メモリに、前記クリーンルーム用衣服の使用履歴を書き込み可能な使用履歴記憶領域が形成されていることを特徴とする可搬型記録媒体。
【請求項２】
前記使用履歴は、クリーンルームの清浄度クラスの判定に使用されるものであることを特徴とする請求項１記載の可搬型記録媒体。
【請求項３】
前記使用履歴記憶領域に記憶される使用履歴には、クリーンルーム用衣服の着用履歴を含むことを特徴とする請求項１又は２記載の可搬型記録媒体。
【請求項４】
前記使用履歴記憶領域に記憶される使用履歴には、さらに、クリーンルーム用衣服の洗濯履歴及び補修履歴のいずれか少なくとも一つを含むことを特徴とする請求項３記載の可搬型記録媒体。
【請求項５】
前記メモリは、アクセス可能な記憶領域が複数に区分されて設定されており、各記憶領域は取扱者のアクセス権限に応じてアクセス可能に設定されていることを特徴とする請求項１〜４のいずれか１に記載の可搬型記録媒体。
【請求項６】
請求項１〜５のいずれか１に記載の可搬型記録媒体が付設されていることを特徴とするクリーンルーム用衣服。
【請求項７】
クリーンルーム用衣服に付設された可搬型記録媒体に記憶された使用履歴を読み込む通信手段と、
クリーンルーム用衣服の使用履歴に基づいてクリーンルームの清浄度クラスを判定するための清浄度判定基準を記憶するクラス判定基準記憶部と、
前記通信手段により読み込まれた使用履歴を、前記クラス判定基準記憶部に記憶された清浄度判定基準と比較し、当該使用履歴を備えたクリーンルーム用衣服が、所定のクリーンルームの清浄度判定基準を満たすか否かを判定する比較・判定部と、
前記比較・判定部による比較・判定結果を出力する出力手段と
を備えることを特徴とするクリーンルーム用衣服チェック装置。
【請求項８】
前記クラス判定基準記憶部に記憶される清浄度判定基準は、クリーンルーム用衣服のクリーニング時において前記可搬型記録媒体の使用履歴情報を読み出し、クリーンルーム用衣服の実際の品質を検査し、その検査結果と使用履歴とを照らし合わせて作成又は更新され、前記クラス判定基準記憶部にフィードバックされて設定されるものであることを特徴とする請求項７記載のクリーンルーム用衣服チェック装置。
【請求項９】
前記可搬型記録媒体に記憶されたクリーンルームへの入室許可基準を満たすか否かの認証情報を読み出し、クリーンルームの入退室管理を行う入退室管理機能をさらに備えることを特徴とする請求項７又は８記載のクリーンルーム用衣服チェック装置。
【請求項１０】
前記出力手段は、前記比較・判定部による比較・判定の結果、所定のクリーンルームの清浄度判定基準を満たさない場合に、警告を発する警告発生装置であるか、又は、前記比較・判定部による比較・判定の結果、所定の清浄度判定基準を満たす清浄度クラスのクリーンルームを表示する表示装置であることを特徴とする請求項７〜９のいずれか１に記載のクリーンルーム衣服用チェック装置。
【発明の詳細な説明】
【技術分野】
【０００１】
本発明は、ユニフォーム等の業務用衣類に関して、ＲＦＩＤ等の読書きできる可搬型記録媒体を装着したクリーンルーム用衣服、及び、クリーンルームの清浄度クラスに合致するか否かのチェック等を行うクリーンルーム用衣服チェック装置に関する技術である。
さらに当該衣類の製造業者、クリーニング業者、ユーザ企業等が、当該記録媒体の記録領域を分割してその用途に応じて使い分けることにより、前記清浄度クラスの管理を効果的に行うことを可能とする技術である。
【背景技術】
【０００２】
クリーンルーム用衣服は厳しい品質条件を課されており、衣服の着用における繊維の劣化の状態を的確に把握することが課題となっている。特に清浄度の高いクリーンルームにおいては、クリーンルーム用衣服の着用履歴を管理し、クリーンルーム内で劣化の少ない衣服を着用することが作業品質の向上に望まれている。また清浄度の比較的低いクリーンルームにおいては、ある程度着用日数の進んだ衣服を着用しても大きな問題にはならない。
【０００３】
しかしながら、これまではクリーンルーム用衣服の着用履歴を的確に管理し、清浄度によって使い分ける有効な方法は無かった。
【発明の開示】
【発明が解決しようとする課題】
【０００４】
クリーンルーム用衣服は、クリーンルームの清浄度クラスに応じて使用する衣服（本明細書において、「クリーンルーム用衣服」には、防塵衣、無塵衣等を含み、形態としては、オーバーオール型、上衣・下衣に分かれたセパレート型、白衣型等の衣服を含むほか、帽子、靴等の附属品も含む。）の種類が決められているが、それらの使用度合いによって、すなわち、着用日数や洗濯回数等によって所定のクリーンルームでの使用基準を満たさなくなっていく。しかしながら衣服の着用履歴を的確に判断する手段が無く、目視による劣化状態の確認によって劣化した衣服を廃棄していた。
【０００５】
本発明は上記に鑑みなされたものであり、クリーンルーム用衣服の管理に適すると共に、適切な管理項目を設定することにより、所定のクリーンルームの清浄度クラスに適合する衣服か否かの判定を自動的に行うことができる可搬型記録媒体、クリーンルーム用衣服及びクリーンルーム用衣服チェック装置を提供することを課題とする。
【課題を解決するための手段】
【０００６】
上記課題を解決するため、請求項１記載の本発明では、クリーンルーム用衣服に付設され、
メモリに、前記クリーンルーム用衣服の使用履歴を書き込み可能な使用履歴記憶領域が形成されていることを特徴とする可搬型記録媒体を提供する。
請求項２記載の本発明では、前記使用履歴は、クリーンルームの清浄度クラスの判定に使用されるものであることを特徴とする請求項１記載の可搬型記録媒体を提供する。
請求項３記載の本発明では、前記使用履歴記憶領域に記憶される使用履歴には、クリーンルーム用衣服の着用履歴を含むことを特徴とする請求項１又は２記載の可搬型記録媒体を提供する。
請求項４記載の本発明では、前記使用履歴記憶領域に記憶される使用履歴には、さらに、クリーンルーム用衣服の洗濯履歴及び補修履歴のいずれか少なくとも一つを含むことを特徴とする請求項３記載の可搬型記録媒体を提供する。
請求項５記載の本発明では、前記メモリは、アクセス可能な記憶領域が複数に区分されて設定されており、各記憶領域は取扱者のアクセス権限に応じてアクセス可能に設定されていることを特徴とする請求項１〜４のいずれか１に記載の可搬型記録媒体を提供する。
請求項６記載の本発明では、請求項１〜５のいずれか１に記載の可搬型記録媒体が付設されていることを特徴とするクリーンルーム用衣服を提供する。
請求項７記載の本発明では、クリーンルーム用衣服に付設された可搬型記録媒体に記憶された使用履歴を読み込む通信手段と、
クリーンルーム用衣服の使用履歴に基づいてクリーンルームの清浄度クラスを判定するための清浄度判定基準を記憶するクラス判定基準記憶部と、
前記通信手段により読み込まれた使用履歴を、前記クラス判定基準記憶部に記憶された清浄度判定基準と比較し、当該使用履歴を備えたクリーンルーム用衣服が、所定のクリーンルームの清浄度判定基準を満たすか否かを判定する比較・判定部と、
前記比較・判定部による比較・判定結果を出力する出力手段と
を備えることを特徴とするクリーンルーム用衣服チェック装置を提供する。
請求項８記載の本発明では、前記クラス判定基準記憶部に記憶される清浄度判定基準は、クリーンルーム用衣服のクリーニング時において前記可搬型記録媒体の使用履歴情報を読み出し、クリーンルーム用衣服の実際の品質を検査し、その検査結果と使用履歴とを照らし合わせて作成又は更新され、前記クラス判定基準記憶部にフィードバックされて設定されるものであることを特徴とする請求項７記載のクリーンルーム用衣服チェック装置を提供する。
請求項９記載の本発明では、前記可搬型記録媒体に記憶されたクリーンルームへの入室許可基準を満たすか否かの認証情報を読み出し、クリーンルームの入退室管理を行う入退室管理機能をさらに備えることを特徴とする請求項７又は８記載のクリーンルーム用衣服チェック装置を提供する。
請求項１０記載の本発明では、前記出力手段は、前記比較・判定部による比較・判定の結果、所定のクリーンルームの清浄度判定基準を満たさない場合に、警告を発する警告発生装置であるか、又は、前記比較・判定部による比較・判定の結果、所定の清浄度判定基準を満たす清浄度クラスのクリーンルームを表示する表示装置であることを特徴とする請求項７〜９のいずれか１に記載のクリーンルーム衣服用チェック装置を提供する。
【発明の効果】
【０００７】
本発明によれば、可搬型記録媒体にクリーンルーム用衣服の使用履歴を記憶する使用履歴記憶領域が形成されている。従って、使用履歴記憶領域に記憶された使用履歴を読み込むことにより、クリーンルームの清浄度クラスに適合するか否かの判定を自動的かつ迅速に行うことができる。すなわち、本発明では、クリーンルーム用衣服の使用履歴をクリーンルームの清浄度クラスの判定に用いるという具体的な利用手段を提供できる。また、使用履歴記憶領域に記憶させる使用履歴として、特に、着用履歴を含み、着用時間が記憶される構成とすることが好ましい。これにより、当該クリーンルーム用衣服を着用した実際の着用時間を知ることができ、クリーンルーム用衣服の汚染度の推定に適する。
【発明を実施するための最良の形態】
【０００８】
以下、図面に示した実施形態に基づいて本発明を更に詳しく説明する。
図１は、本実施形態のデータキャリア（可搬型記録媒体）１０とクリーンルーム用衣服のチェック装置１８の概要図である。この図においては、データキャリアとしてＲＦＩＤを用いている。チェック装置１８は破線内の部分であるが、ＲＦＩＤのリーダライタ２０とコンピュータ２５から成る。
【０００９】
図１に示したように、データキャリア１０は、アンテナ１１、変復調部１２、リーダライタ２０からの電波を整流する整流部１３、メモリ１４及びデータキャリア全体の制御を行う制御部１５を備えて構成されている。制御部１５はアンテナ１１及び変復調部１２を介してリーダライタとデータのやり取りを行い、その内容をメモリ１４に記録する。該メモリ１４は、データキャリア１０の固有の情報のほか、クリーンルーム用衣服４０に関する使用履歴情報が書き込みされる。なお、データキャリア１０は、読み書き可能なメモリ１４を有するものであれば何であってもよく、例えば、ＲＦＩＤの場合、自身で電源を持つアクティブ型や持たないパッシブ型のいずれでも良い。また、データキャリア１０は、クリーンルーム用衣服４０のいずれかの部分に縫製、接着などにより付設可能なものであればよいが、洗濯に耐え得る耐久性を備える構造であることが必要である。また、形状も、四角形、円形（コイン型）等何であってもよい。
【００１０】
メモリ１４は複数の取扱者、例えばクリーンルーム用衣服の製造業者、該衣服のクリーニング業者、該衣服のユーザ等が使用可能であることが望ましく、さらに取扱者のアクセス権限に応じてアクセス可能に区分された複数の記憶領域を有する構造であることが好ましい。例えば、図２に示したように、クリーンルーム用衣服の製造業者エリア１４１、クリーニング業者エリア１４２、ユーザ企業エリア１４３という３つの記憶領域を形成する。製造業者エリア１４１には、メーカーコード、製品型番、ロット番号、出荷履歴などの各種生産情報が記憶され、クリーニング業者エリア１４２には、クリーニング業者コード、管理コード、顧客コード、洗濯履歴、補修履歴などのクリーニング情報が記憶され、ユーザ企業エリア１４３には、社員コード、セキュリティコードなどの入退室管理情報並びに着用履歴情報が記憶されている。このうち、クリーニング業者エリア１４２に記憶される洗濯履歴、補修履歴に関する情報と、ユーザ企業エリア１４３に記憶される着用履歴に関する情報とが、本実施形態では使用履歴情報となり、これらを記憶している部分が、特許請求の範囲で規定した使用履歴記憶領域１４０となる。
【００１１】
アクセス権限は、例えば、「◎：読書き可」、「○：読取り可」、「×：アクセス不可」の三段階で設定できる。図３を参照して説明すると、製造業者は、製造業者エリア１４１に対しては全ての情報に「◎：読書き可」、クリーニング業者エリア１４２に対しては全ての情報に「○：読取り可」、ユーザ企業エリア１４３に対しては着用履歴が「○：読取り可」で他の情報には「×：アクセス不可」といったアクセス権限が与えられている。同様に、クリーニング業者には、クリーニング業者エリア１４２において「◎：読書き可」のアクセス権限が与えられている一方で、その他のエリアに属する情報には、「○：読取り可」又は「×：アクセス不可」の権限しか与えられていない。ユーザ企業は、ユーザ企業エリアにおいてのみ「◎：読書き可」のアクセス権限が与えられ、その他のエリアに属する情報には全て「○：読取り可」のアクセス権限で設定されている。
【００１２】
なお、ユーザ企業エリア１４３に設定される「セキュリティコード」は、クリーンルーム用衣服チェック装置１８によって入退室管理を行う際に、チェック対象のデータキャリア１０の真偽を判別するために利用するもので、詳細については後述する。
【００１３】
ユーザ企業エリア１４３に記憶される着用履歴としては、例えば、着用日数、着用時間等を設定できるが、日数だけでなく、着用時間を考慮した設定とすることが好ましい。着用時間データとしては、例えば、連続着用時間及び通算着用時間が記憶される構成とすることが好ましい。なお、連続着用時間とは、洗濯されないで着用されていた時間のことであり、クリーンルーム用衣服４０が洗濯されると自動的にリセットされるように設定することができる。通算着用時間とは、新品のクリーンルーム用衣服４０の着用を開始してから現在までの通算した着用時間のことである。通算着用時間は、基本的にリセットされることはない。着用履歴は、実際に着用された日数、時間を計測できるため、着用履歴を指標として所定のクリーンルームの清浄度クラスに適合するか否かの判定を行う構成とすることが好ましい。また、着用履歴を記憶しておくことにより、クリーンルーム用衣服４０をクリーニングに出すタイミングを適切に管理することもできる。
【００１４】
使用履歴記憶領域１４０に記憶される使用履歴としては、上記した着用履歴データを用いることが適切であるが、洗濯履歴及び補修履歴のいずれか少なくとも一方も設定できる構成とすることにより、これらのデータを併せて用いることで、より適切な判定を行うことができる。洗濯履歴、補修履歴としては、それらの回数（通算回数）や日時（各履歴を記憶した最新の日時）等を設定できる。これらのデータを有することにより、例えば、２つのクリーンルーム用衣服４０の着用時間が同程度であったとしても、一方のみが、洗濯回数、補修回数のいずれか少なくとも一つにおいて所定の設定値以上になっている場合に、当該一方のクリーンルーム用衣服４０は、他方のクリーンルーム用衣服４０と比較して繊維疲労が進んでいると判定し、同じ着用時間であっても、適合する清浄度クラスを異ならせることができる。
【００１５】
チェック装置１８のリーダライタ２０は、クリーンルーム用衣服４０に付設された上記データキャリア１０に記憶された使用履歴を含む情報を非接触で読み込むものであり、通信手段を構成するアンテナ２１及び変復調部２２、データのリードライトの制御を行うシステム制御部２３とを備え、通信インタフェース２４を介してコンピュータ２５に接続されている。
【００１６】
コンピュータ２５には、リーダライタ２０の動作を制御するとともに、クリーンルーム用衣服４０の使用履歴に基づいて、クリーンルーム２０の清浄度クラスを判定するための清浄度判定基準を記憶するクラス判定基準記憶部２６と、通信手段としてのアンテナ２１及び変復調部２２を介して読み込まれた使用履歴を、クラス判定基準記憶部２６に記憶された清浄度判定基準と比較し、当該使用履歴を備えたクリーンルーム用衣服４０が、クリーンルームに応じた清浄度判定基準を満たすか否かを判定する比較・判定部２７と、比較・判定部による比較・判定結果を出力する出力手段２８とを備えている。
【００１７】
出力手段２８の具体例としては、例えば、比較・判定部２７による比較・判定の結果、いずれかのクリーンルームの清浄度判定基準を満たさない場合に、警告を発する警告発生装置を用いることができる。警告発生装置の警告種類は限定されないが、例えば、ブザー音などの音による警告などがある。また、出力手段２８は、比較・判定部２７による比較・判定の結果、所定の清浄度判定基準を満たす清浄度クラスのクリーンルームを表示する表示装置とすることもできる。具体的には、ＣＲＴモニタや液晶ディスプレイなどであり、これらはコンピュータ２５に接続され、該当するクリーンルームを表示する。
【００１８】
上記した構成のリーダライタ２０は、クリーンルーム用衣服４０に付設されたデータキャリア１０が接近すると、データキャリア１０のメモリ１４のデータを読み込みコンピュータ２５へ送る。コンピュータ２５は読み込んだ使用履歴に基づき、当該データキャリア１０の付設されたクリーンルーム用衣服４０が所定のクリーンルーム２０の清浄度クラスを満たす基準か否かを判定する。なお、メモリ１４のユーザ企業エリア１４３には、社員コード、セキュリティコードなどの個人を特定する情報も記憶されている。従って、チェック装置１８は、清浄度クラスの判定を行う前に、まず、これらの個人情報を基に、当該データキャリア１０を備えたクリーンルーム用衣服４０が当該クリーンルームへの入室許可された者に属するか否かの入退室管理も併せて行うようになっている。また、チェック装置１８は、クリーンルームへの入室時間（退室時には退室時間）を、メモリ１４に書き込む処理も行う。これにより、入退室時間の管理を行うことができることはもとより、かかる入退室時間を着用時間として、上記着用履歴に書き込むことができる。
【００１９】
チェック装置１８には、データキャリア１０との間で非接触で通信を行うリーダライタ２０が用いられ、その形態は、データキャリア１０の種類や通信距離等に対応して任意のものを用いることができるが、入退室管理を兼ねるため、ゲート型としておくことが便利である。また、チェック装置１８は、各クリーンルームに対応させて複数設けることもできるし、複数のクリーンルームに一つの割合で設けることもできる。前者の場合には、クリーンルームの清浄度クラスの判定基準が一つで済むため、使用履歴を読み込んで比較判定の結果を出力する出力手段２８としてはブザー音などを発する警告発生装置で十分であるが、後者の場合には、適合基準を満たすクリーンルームを案内表示するＣＲＴモニタなどの表示装置を用いることが好ましい。
【００２０】
クリーンルーム３０は、清浄度に応じて、図４に示したように、例えば、「クラス１００」、「クラス１０００」、「クラス１００００」というように区分されている。なお、図１に示した３つのクリーンルーム３０Ａ，３０Ｂ，３０Ｃは、あくまで模式的に示したものであり、実際には、同一建物内に設けられている場合もあれば、異なる建物に設けられている場合もある。あるいは、３つのクリーンルーム３０Ａ，３０Ｂ，３０Ｃが全く関連性のない異なる会社や施設等に配備されている場合であってもよい。
【００２１】
上記したチェック装置１８のクラス判定基準記憶部２６には、例えば、これらの３つのクリーンルーム３０Ａ，３０Ｂ，３０Ｃの各クラスに応じ、次のような清浄度判定基準テーブルが設定されている。例えば、図５に示したように、クリーンルーム３０Ａの「クラス１００」は、使用履歴の判定結果が「Ａ」と判定される場合に対応し、クリーンルーム３０Ｂの「クラス１０００」は、使用履歴の判定結果が「Ｂ」と判定される場合に対応し、クリーンルーム３０Ｃの「クラス１００００」は、使用履歴の判定結果が「Ｃ」と判定される場合に対応するように設定されている。使用履歴の判定結果「Ａ」，「Ｂ」，「Ｃ」は、着用履歴、洗濯履歴、補修履歴等のいずれか少なくとも一つを考慮して判定される。例えば、着用履歴のみを基準とする場合には、着用日数が通算で１０週以内は「Ａ」、１１〜３０週以内は「Ｂ」、３１〜８０週以内は「Ｃ」というように設定できる。また、８１週以上の場合には、「Ｄ」として使用中止とするように設定できる。また、通算日数だけでなく洗濯後の連続着用時間を基準に設定することもできるし、連続着用時間と通算着用日数の両者を考慮した設定とすることもできる。また、例えば、洗濯履歴を加味する場合には、例えば、着用日数が１０週以内であっても、洗濯回数が所定回数以上の場合には、「Ｂ」と判定したりすることもできる。この判定基準は、チェック装置１８の比較・判定部２７に設定するプログラムにより適宜に設定できる。
【００２２】
次に、本実施形態のデータキャリア１０及びチェック装置１８によってクリーンルームの清浄度クラスの判定を行う方法について説明する。
まず、データキャリア１０が付設されたクリーンルーム用衣服４０を着用した人が、例えば、ゲート型のリーダライタ２０を通過する。するとリーダライタ２０を介してデータキャリア１０にアクセスし、メモリ１４のユーザ企業エリア１４３から社員コード、セキュリティコードを読み込み（図６のＳ１０１）コンピュータ２５にデータを渡す。コンピュータ２５ではセキュリティコードをチェックし、当該クリーンルームへの入室資格を満たすか否かを判定する（Ｓ１０２）。入出資格を満たすか否かのチェック手段は任意であり、例えば、パスワードを用いた手段などでもよいが、セキュリティコードを用い、汎用のデータキャリア、リーダライタで実施できると共に信頼性の高い、本発明に好適なチェック手段については後述する。そして、入室資格を満たすと判定された場合には、メモリ１４のユーザ企業エリア１４３から着用履歴を読み込む（Ｓ１０３）。また、必要に応じて、クリーニング業者エリア１４２から洗濯履歴又は補修履歴を併せて読み込む。
【００２３】
次に、チェック装置１８のコンピュータ２５における比較・判定部２７が、読み込んだ使用履歴を、予めクラス判定基準記憶部２６に記憶されている清浄度判定基準と比較し、当該使用履歴が清浄度判定基準を満たすか否かを判定する（Ｓ１０４）。例えば、着用履歴から得られた情報が、着用日数１５週に相当する場合には、図５の例では、使用履歴として「Ｂ」判定がなされ、それに対応する「ランク１０００」のクリーンルームへの入室許可を認める表示が出力される（Ｓ１０５）。また、このチェック装置１８が、「ランク１００」を満たすクリーンルームへの入室の際の専用のゲートになっている場合には、着用者自身が、当該クリーンルームへの入室資格を得ていたとしても、使用履歴が「Ｂ」判定とされた場合には、当該クリーンルームへの入室許可基準を満たさないため、警告発生装置により警告が発せられるようにしてもよい（Ｓ１０６）。
【００２４】
また、着用履歴における通算着用日数（時間）等が所定の清浄度クラスを満たす場合、あるいは満たさなくなった場合のいずれにおいても、例えば、定期的に、クリーンルーム用衣服４０は、クリーニング業者へ搬送されて洗濯される。この際、ユーザ企業の管理者は、データキャリア１０のユーザ企業エリア１４３に、汚損、損傷の箇所などを書き込むことができる。ユーザ企業においては、クリーニングに出したクリーンルーム用衣服４０の枚数や各クリーンルーム用衣服４０の個別の情報などをデータキャリア１０の情報を読み込むことにより、確実に把握できるし、また、クリーニング業者においても受け入れたクリーンルーム用衣服４０の枚数などをデータキャリア１０から確実に把握することができるため、ユーザ企業における在庫管理、クリーニング時における両者の入出庫管理の適正化を図ることができる。そして、クリーニング業者は、図７に示したように、リーダライタ（Ｒ／Ｗシステム）によってデータキャリア１０のユーザ企業エリア１４３から着用履歴、汚損・損傷情報などを読み込み、それらに合わせた洗濯や補修作業などを行う。作業後、データキャリア１０のクリーニング業者エリア１４２に洗濯回数や補修回数の更新情報を書き込む。
【００２５】
クリーニングの終了したクリーンルーム用衣服４０は、そのまま、ユーザ企業へ返送してもよいが、着用履歴がある基準値になった場合その一部若しくは全数を、製造業者の品質管理部門に送るようにしてもよい。また、図７に示したように、データキャリア１０に記憶された使用履歴情報から、例えば、着用日数が所定の規定値に至ったものについて、クリーニング未処理の状態で、あるいは、クリーニング処理した後の状態で、抜き取り、それを品質管理部門に送る構成とすることもできる。品質管理部門においては、その検査結果をユーザ企業に知らせる。ユーザ企業においては、使用履歴と検査結果とを照らし合わせ、チェック装置１８におけるコンピュータ２５のクラス判定基準記憶部２６に記憶される清浄度判定基準を更新したり、新たな判定項目を作成して追加したりすることができる。品質管理部門からの検査結果は、チェック装置１８に対して通信回線を介してフィードバックすることもでき、その場合、チェック装置１８には、かかる検査結果情報を受信したならば、清浄度判定基準を自動更新するプログラムを追加することもできる。なお、上記した説明では、クリーンルーム用衣服４０をクリーニング業者から品質管理部門に送っているが、必要に応じて、ユーザ企業から直接品質管理部門に送り、検査結果をフィードバックしてもらう構成とすることもできる。
【００２６】
一方、チェック装置１８は、上記のように、データキャリア１０にアクセスし、メモリ１４のユーザ企業エリア１４３から社員コード、セキュリティコードを読み込み、セキュリティコードをチェックする。これは、データキャリア１０が不正にコピーされた複製物である場合に、複製物であることを検知して、第三者のクリーンルームへの侵入を防ぐためであるが、ＩＳＯの標準化規格に基づいたデータキャリアの場合、汎用のリーダライタによって容易に書き換え可能であることから、チェック装置１８はセキュリティコードのチェック機能を有するものであることが好ましい。本実施形態では、次のようなチェック手段を採用している。図８〜図１１を参照して説明する。
【００２７】
図８は、データキャリア１０のメモリ１４のデータ構造を示した概念図であるが、メモリ１４は、データキャリア５０に対して一意に付加された固有の識別子であるUnique IDが記憶されたシステムエリア１４５、上記した製造業者エリア１４１となる第１ユーザエリア、クリーニング業者エリア１４２となる第２ユーザエリア、ユーザ企業エリア１４３となる第３ユーザエリアを備えている。各エリア１４１〜１４３は、それぞれ先頭フラグ、並びに、履歴等の各種データが記憶されるデータ領域及びチェックコードを備えている。チェックコードとしては、ＢＣＣ（水平垂直パリティ）、チェックサム、ＣＲＣ等が用いられ、いずれもUnique IDを含めて生成されるため、これによってある程度の悪意のあるデータ改ざんに対して対応できる。しかしながら、このチェックコードは、データキャリアに記録された情報のみで生成できるため、チェックコードのみでは、その生成アルゴリズムが知られてしまえば、容易にデータの改ざんが可能になってしまう。そこで、本実施形態のデータキャリア１０は、メモリ１４の上記４つのエリアの外部領域にセキュリティエリア１４６を形成しており、当該セキュリティエリア１４６にUnique IDから生成したセキュリティコードを記憶している。
【００２８】
セキュリティコードは、図９及び図１０に示したようにして生成される。まず、リーダライタを用いて、データキャリア１０からUnique IDを抽出する（図１０のＳ２０１）。次に、データキャリア１０のUnique IDを暗号化する。この暗号化には「一方向関数」を採用し、暗号化のアルゴリズムの解析を困難にしている。Unique IDを暗号化することにより、乱数系列ポインタが生成される（図１０のＳ２０２）。乱数系列ポインタは、所定の乱数系列（第一の乱数系列及び第二の乱数系列）にアクセスし、その乱数系列の一部分を取得してセキュリティコード（第一セキュリティコード及び第二セキュリティコード）を生成する（図１０のＳ２０３）。そして、第二セキュリティコードをメモリ１４のセキュリティエリア１４６に書き込む（図１０のＳ２０４）。
【００２９】
第一の乱数系列及び第二の乱数系列は、定期的に更新可能な複数の乱数系列から生成され、この乱数系列からセキュリティコードを生成している。更新時には、第二の乱数系列は第一の乱数系列に複写され、新しい乱数系列は第二の乱数系列に書き込まれる。メモリ１４のセキュリティエリア１４６に書き込まれるコードは常に最新のものとなる。このため、仮にセキュリティコードの生成アルゴリズムが入手できたとしても、乱数系列が入手されない限りコピーすることが困難となり、高いセキュリティ性を確保することができる。また、乱数系列は複数あり、当該乱数系列は古いものから書換えられる。これにより、乱数系列が第３者に不正に入手された場合でも、書換えにより当該乱数系列を無効にできる。
【００３０】
チェック装置１８は、データキャリア１０に書き込まれた上記セキュリティコードを次のようにして判定し、データキャリア１０の真偽を判別する。図１１に基づき説明する。
まず、データキャリア１０からUnique IDを読み込み、チェック装置１８においても、図９及び図１０と同様に、最新の乱数系列である第二の乱数系列を用いて第二セキュリティコードを改めて生成する（Ｓ３０１）。次に、改めて生成した第二のセキュリティコードと、データキャリア１０に既に書き込まれている第二セキュリティコードとを比較し、一致した場合はデータキャリア１０へのアクセスを許可する（Ｓ３０２）。
【００３１】
一方、第二のセキュリティコードが一致しなかった場合は、チェック装置１８は、データキャリア１０のUnique IDから、改めて第一の乱数系列を用いて第一のセキュリティコードを生成する（Ｓ３０３）。生成した第一のセキュリティコードとデータキャリア１０に既に書き込まれている第一のセキュリティコードを比較し（Ｓ３０４）、一致した場合は、第一のセキュリティコードよりも新しいセキュリティコードである第二セキュリティコードをデータキャリア１０へ書き込むと共に、データキャリア１０へのアクセスを許可する（Ｓ３０５）。一致しなかった場合には、データキャリア１０へのアクセスを禁止する。
【００３２】
上記した説明では、乱数系列を複数準備しているが、一つであってもよい。いずれにしても上記判定手段を用いることにより、判定対象となったデータキャリアが、セキュリティコードも含めて不正にコピーされたものであったとしても、チェック装置１８によって判定対象となったデータキャリアのUnique  IDを読み込み、改めて所定のアルゴリズム、乱数系列に従ってセキュリティコードが生成される。チェック装置１８に、単に、真正のデータキャリアのセキュリティコードを記憶し、それに基づき真偽を判定する場合には、セキュリティコードも含めてコピーされた場合に対処できないが、上記手段は、チェック装置１８により、不正コピーされたデータキャリアの独自のUnique IDを用いて改めてセキュリティコードを生成することになるため、チェック装置１８によって得られたセキュリティコードは、不正コピーされたデータキャリアに書き込まれているセキュリティコードと必ず相違することになる。従って、上記手段によれば、確実にデータキャリアの真偽を判別でき、クリーンルームへの不正侵入等を防ぐことができる。
【図面の簡単な説明】
【００３３】
【図１】図１は、本発明の一の実施形態に係るデータキャリア及びチェック装置の概略構成を示す模式図である。
【図２】図２は、データキャリアのメモリ内の記憶構造を模式的に示す図である。
【図３】図３は、メモリに記憶される各エリアへのアクセス権限を説明するための図である。
【図４】図４は、データキャリア及びチェック装置を用いたクリーンルーム用衣服のチェックの仕組みを説明するための図である。
【図５】図５は、チェック装置のクラス判定基準記憶部に記憶された清浄度判定基準の一例を示す図である。
【図６】図６は、チェック装置の比較・判定処理を示したフローチャートである。
【図７】図７は、ユーザ企業、クリーニング業者、製造業者の品質管理部門におけるクリーンルーム用衣服の取引形態の一例を示した図である。
【図８】図８は、データキャリアのメモリのデータ構造を示した概念図である
【図９】図９は、セキュリティコードの生成手段を説明するための概念図である
【図１０】図１０は、セキュリティコードの生成及び書き込み処理を示したフローチャートである。
【図１１】図１１は、データキャリアに書き込まれたセキュリティコードの判定処理を示したフローチャートである。
【符号の説明】
【００３４】
１０  データキャリア
１４  メモリ
１４１  製造業者エリア（第一ユーザエリア）
１４２  クリーニング業者エリア（第二ユーザエリア）
１４３  ユーザ企業エリア（第三ユーザエリア）
１８  クリーンルーム用衣服チェック装置（チェック装置）
２０  リーダライタ
２５  コンピュータ
２６  クラス判定基準記憶部
２７  比較・判定部
２８  出力手段
３０  クリーンルーム
４０  クリーンルーム用衣服
【図１】
2006153328.tif 000003
【図２】
2006153328.tif 000004
【図３】
2006153328.tif 000005
【図４】
2006153328.tif 000006
【図５】
2006153328.tif 000007
【図６】
2006153328.tif 000008
【図７】
2006153328.tif 000009
【図８】
2006153328.tif 000010
【図９】
2006153328.tif 000011
【図１０】
2006153328.tif 000012
【図１１】
2006153328.tif 000013